(57)【要約】【課題】狭小な埋設スペースでも排水桝をぐらつきなく安定的に設置することができ、管継手の接続角度が一目でわかる施工性の良好な排水桝を提供する。【解決手段】桝本体１と、該桝本体１に対して回動可能に取付けられる管継手２とを備える排水桝ＣＢであって、管継手２又は／及び桝本体１に鍔状体３を設け、上記鍔状体３は、管継手２の回転軸Ａ１に対して直交する面上に位置する構成とする。管継手２又は／及び桝本体１に鍔状体３を設けることで、鍔状体３が排水桝ＣＢのもう一つの支持部としての役割を果たし、排水桝ＣＢを安定的に設置することができるようになると共に、鍔状体３が回転角度の目安となって、どの程度管継手２を回転させたかが一目でわかるようになる。【選択図】図３
2015014084.tif 000002
【特許請求の範囲】
【請求項１】
桝本体と、該桝本体に対して回動可能に取付けられる管継手とを備える排水桝であって、
管継手又は／及び桝本体に鍔状体を設け、
上記鍔状体は、管継手の回転軸に対して直交する面上に位置することを特徴とする排水桝。
【請求項２】
鍔状体が正多角形であることを特徴とする請求項１に記載の排水桝。
【請求項３】
鍔状体の中心と管継手の回転軸が一致することを特徴とする請求項１又は請求項２に記載の排水桝。
【請求項４】
鍔状体の下端と桝本体の下端が略同じ高さにあることを特徴とする請求項１ないし請求項３のいずれかに記載の排水桝。
【請求項５】
鍔状体が、桝本体を支持する支持部に対して所定の間隔をあけて設けられていることを特徴とする請求項１ないし請求項４のいずれかに記載の排水桝。
【請求項６】
管継手が屈曲又は湾曲継手であって、該管継手を取付ける接続口が桝本体の鉛直面上に形成されており、管継手の桝本体側の中心軸が管継手の回転軸と同じ方向であり、鍔状体が正多角形又は真円であると共に、該鍔状体の中心と管継手の回転軸が一致しており、鍔状体の下端と桝本体の下端が略同じ高さにあることを特徴とする請求項１ないし請求項５のいずれかに記載の排水桝。
【発明の詳細な説明】
【技術分野】
【０００１】
本発明は、宅地内に埋設される排水桝に関し、更に詳しくは、建物内の各排水設備からの排水が合流する排水管を、屋外の排水主管路に接続する排水桝に関するものである。
【背景技術】
【０００２】
従来、この種の排水桝は、コンクリートで成形されたものが主流であったが、コンクリート製の排水桝は、施工が面倒で、狭い箇所に設置することが難しく、昨今の住宅事情に合致しないという問題があった。また、接着剤を用いずに排水管と接続するので、その接続箇所から雨水や地下水が侵入するという問題もあった。
【０００３】
かかる事情に鑑みて、宅地内に埋設される排水桝は、軽量で施工性に優れ、雨水や地下水の侵入の心配がなく、昨今の住宅事情に合致するコンパクトな合成樹脂製のものが主流となっており、その一つに、インバート部に連通する枝管を形成し、該枝管に、エルボ体を周方向に回動可能となるよう一体的に取着した排水桝装置がある（特許文献１）。
【０００４】
上記特許文献１の排水桝装置は、枝管に取着されたエルボ体に、家屋の基礎を貫通する排水管（以下、単に基礎貫通排水管という。）に９０度エルボ継手を介して接続された連通管を直に接続することで、基礎貫通排水管と排水桝装置との距離を短くすることができ、宅地内埋設スペースの狭小化にも対応することができるものであった。また、特許文献１の排水桝装置は、枝管にエルボ体を回動可能に取着することで、枝管と排水管の水平方向の位置合わせも容易に行うことができるものであった。
【先行技術文献】
【特許文献】
【０００５】
【特許文献１】実開平０３−０９３８９０号公報
【発明の概要】
【発明が解決しようとする課題】
【０００６】
しかしながら、上記特許文献１の排水桝装置は、その構造上、枝管に取着されたエルボ体側の重量が重く、排水桝装置全体の重量バランスが悪いため、設置が不安定なものとなり、施工性が良くないという問題があった。また、排水桝装置のインバート部には、流れ勾配が付与されていることも多いが、そのような場合、エルボ体を９０°回転させると、回動させた方向によってはインバート部と逆勾配になってしまう恐れもあった。
【０００７】
本発明は上記の問題に鑑みてなされたもので、その解決しようとする課題は、狭小な埋設スペースでも排水桝をぐらつきなく安定的に設置することができ、管継手の接続角度が一目でわかる施工性の良好な排水桝を提供することにある。
【課題を解決するための手段】
【０００８】
上記目的を達成するため、本発明に係る排水桝は、桝本体と、該桝本体に対して回動可能に取付けられる管継手とを備える排水桝であって、管継手又は／及び桝本体に鍔状体を設け、上記鍔状体は、管継手の回転軸に対して直交する面上に位置することを特徴とするものである。
【０００９】
本発明の排水桝においては、鍔状体が正多角形であることが好ましい。また、鍔状体の中心と管継手の回転軸が一致することが好ましく、鍔状体の下端と桝本体の下端が略同じ高さにあることがより好ましい。更に、鍔状体が、桝本体を支持する支持部に対して所定の間隔をあけて設けられていることが好ましく、管継手が屈曲又は湾曲継手であって、該管継手を取付ける接続口が桝本体の鉛直面上に形成されており、管継手の桝本体側の中心軸が管継手の回転軸と同じ方向であり、鍔状体が正多角形又は真円であると共に、該鍔状体の中心と管継手の回転軸が一致しており、鍔状体の下端と桝本体の下端が略同じ高さにあることが最も好ましい。
【発明の効果】
【００１０】
本発明の排水桝は、桝本体に管継手を取付けるという構造上、管継手側が重くなって重量バランスは良くないが、管継手又は／及び桝本体に、鍔状体を管継手の回転軸に対して直交する面上に位置するように設けることで、鍔状体が排水桝のもう一つの支持部としての役割を果たし、排水桝をぐらつきなく安定的に設置することができるようになる。また、管継手を回転させる際に、鍔状体が回転角度の目安となって、どの程度管継手を回転させたかが一目でわかるので施工性が非常に良好で、逆勾配になってしまうといった不具合も解消される。
【００１１】
また、鍔状体が正多角形である排水桝は、正多角形の一辺或いは頂点を目安にすることで、管継手の回転角度が一目でわかるようになる。
【００１２】
更に、鍔状体の中心と管継手の回転軸が一致する排水桝は、管継手を回転させた分だけ鍔状体も回転し、鍔状体と管継手の回転角度とが完全に一致するので、施工性が更に向上する。
【００１３】
また、鍔状体の下端と桝本体の下端が略同じ高さにある排水桝は、排水桝を桝本体の下端と鍔状体の下端の２点で支えることになり、排水桝をより安定的に設置することができる。
【００１４】
この際、鍔状体と桝本体を支持する支持部との間隔が殆どないと、桝本体の下端と鍔状体の下端の２点で排水桝を支える意味合いが薄くなるので、鍔状体が、桝本体を支持する支持部に対して所定の間隔をあけて設けられている排水桝が、安定的に設置することができて好ましい。
【００１５】
特に、管継手が屈曲又は湾曲継手であって、該管継手を取付ける接続口が桝本体の鉛直面上に形成されており、管継手の桝本体側の中心軸が管継手の回転軸と同じ方向であり、鍔状体が正多角形又は真円であると共に、該鍔状体の中心と管継手の回転軸が一致しており、鍔状体の下端と桝本体の下端が略同じ高さにある排水桝は、前述した効果に加えて、管継手を取付ける接続口を桝本体の鉛直面上に形成することで、鍔状体も鉛直面上に形成されることになり、鍔状体の下端を桝本体の下端と略同じ高さにする場合に、鍔状体を最もコンパクトにすることができるという効果も奏する。
【図面の簡単な説明】
【００１６】
【図１】本発明の一実施形態に係る排水桝を示す平面図である。
【図２】同排水桝の正面図である。
【図３】同排水桝の左側面図である。
【図４】同排水桝の分解図である。
【図５】図１のＡ−Ａ断面図である。
【図６】同排水桝の管継手を回転させた状態を示す正面図である。
【図７】同排水桝の施工例を示す概略説明図である。
【図８】本発明の他の実施形態に係る排水桝を示す左側面図である。
【図９】同排水桝の管継手を回転させた状態を示す正面図である。
【図１０】本発明の更に他の実施形態に係る排水桝を示す左側面図である。
【図１１】本発明の更に他の実施形態に係る排水桝を示す正面図である。
【図１２】本発明の更に他の実施形態に係る排水桝を示す平面図である。
【発明を実施するための形態】
【００１７】
以下、図面を参照して本発明の具体的な実施形態を詳述する。
【００１８】
図１は本発明の一実施形態に係る排水桝を示す平面図、図２は同排水桝の正面図、図３は同排水桝の左側面図、図４は同排水桝の分解図、図５は図１のＡ−Ａ断面図、図６は同排水桝の管継手を回転させた状態を示す正面図、図７は同排水桝の施工例を示す概略説明図である。
【００１９】
図１に示す本発明の排水桝ＣＢは、ポリ塩化ビニル等の合成樹脂で成形されたもので、図７に示すように、建物内の各排水設備（不図示）からの排水が合流する家屋の基礎８を貫通する基礎貫通排水管５を、屋外の排水主管路９に接続するために用いられる。
【００２０】
上記排水桝ＣＢは、図１、図２、図４に示すように、桝本体１と、この桝本体１に対して回動可能に取付けられた管継手２とを備え、桝本体１下部の排水主溝１ａの両端部に、上流側と下流側の屋外の排水主管路９，９を差込接続する筒状の上流側接続口１ｂと下流側接続口１ｃがそれぞれ形成されている。排水主溝１ａは、図５に示すように、桝本体１の後面側が円弧状に形成された溝であって、本実施形態の排水主溝１ａは、上流側接続口１ｂから下流側接続口１ｃに向けての流れ勾配が付けられておらず、上流側や下流側の方向性がない汎用性が高いものとなっている。従って、本実施形態では、桝本体１に向って右側が上流側接続口１ｂ、左側が下流側接続口１ｃになっているが、施工現場によっては、上流側接続口１ｂに下流側の屋外の排水主管路９を接続し、下流側接続口１ｃに上流側の屋外の排水主管路９を接続して使用することもできる。また、桝本体１の上部には、高さ調整用のアジャスター４を挿入する直径が５０〜３００ｍｍ程度の円形の開口部１ｄが形成されており、図７に示すように、この開口部１ｄにアジャスター４を挿入することで、排水桝ＣＢを地表に臨ませて、排水桝ＣＢの内部を点検・メンテナンスできるようにしている。更に、桝本体１の底面には、縁部以外が肉抜きされた略方形の支持部１ｆが設けられていて、排水桝ＣＢを支持する役割を果たすようになっている。
尚、本実施形態の排水主溝１ａは、上記のように、流れ勾配が付けられていないが、上流側接続口１ｂから下流側接続口１ｃに向って１／１００〜３／１００程度の流れ勾配が付けられていてもよいことは言うまでもない。
【００２１】
図３、図４に示すように、排水桝ＣＢの前面は、地面から垂直方向に立ち上がる鉛直面となっており、その鉛直面上に、後述する管継手２を取付ける接続口１ｅが形成されている。この接続口１ｅは円形の開口であって、図５に示すように、管継手２の下流側端部を差込み接続することで、桝本体１と管継手２は一体化されている。
【００２２】
図５に示すように、前述した上流側接続口１ｂ、下流側接続口１ｃ、開口部１ｄ、及び、接続口１ｅ、上部接続口２ａの内周面には、それぞれ筒受段部が設けられており、各排水管（屋外の排水主管路９，９、アジャスター４、管継手２、短管７）を蓋受部に当接するまで挿入することで、排水桝ＣＢと確実に接続することができるようになっている。
【００２３】
次に、上記桝本体１の接続口１ｅに差込み接続されて桝本体１と一体化される管継手２は、図４、図５、図７等に示すように、下流側から上流側にかけて９０°立ち上がる屈曲継手であって、上流側端部には、短管７を差込み接続する直径が５０〜２００ｍｍ程度の上部接続口２ａが形成されている。また、下流側端部の周面には、２本の凸条２ｂ，２ｂが周設されており、その２本の凸条２ｂ，２ｂの間に形成された環状溝に、環状の止水パッキン２ｃが嵌着されて水密性を確保している。この管継手２は、図２等に示すように、上流側と下流側で径が異なる異径継手である。即ち、上流側筒部の径は短管７と同じで、下流側筒部の径は桝本体１の接続口１ｅの径と同径（屋外の排水主管路９と同径）になっている（上流側の径＜下流側の径）。このように管継手２の下流側筒部の径を上流側筒部よりも大きくすることで、基礎貫通排水管５から管継手２に流入してきた排水は、閉塞することなく桝本体１内部に流入し、桝本体１の下流側の接続口１ｃから屋外の排水主管路９に流出するので、閉塞防止の為に管継手２の曲率半径を大きく確保する必要がなくなり、前述した桝本体１の接続口１ｅを外側に突出させることなく単なる開口としたことと相俟って、基礎貫通排水管５の下流側端部から排水桝ＣＢまでの距離を最も縮めることができる。
【００２４】
上記管継手２は、その下流側端部を上記桝本体１の接続口１ｅに差込むことで、桝本体１に対して水密的且つ回転可能に取付けられている。この管継手２の回転軸Ａ１は、管継手２の桝本体１側の中心軸Ａ２（下流側筒部の中心軸）と一致（同じ方向）しており、図２の矢印に示す如く、時計回りにも半時計回りにも管継手２を回転させることが可能となっている。前述したように、本実施形態の排水主溝１ａには流れ勾配が付けられていないことと相俟って、どのような施工現場でも方向性を気にすることなく設置できるようにしている。
尚、排水主溝１ａに流れ勾配を付けた場合は、逆勾配になるのを防止する為、回転範囲を９０°或いは１８０°に規制してもよい。
【００２５】
図３に示すように、上記管継手２の外周面には、本発明の最大の特徴である鍔状体３が設けられている。この鍔状体３は、管継手２の回転軸Ａ１に対して直交する面上に位置し、且つ、その中心Ｃが、管継手２の回転軸Ａ１と一致するように設けられている。従って、鍔状体３の回転角度は管継手２の回転角度と一致し、鍔状体３を目安に管継手２を回転させれば、管継手２の回転角度が一目でわかるので、管継手２を容易に任意の接続角度に設定することができて施工性が良い。
【００２６】
上記鍔状体３は、本来であれば、管継手２の下流側筒部の外周面全体に設けられるものであるが、前述したように、管継手２をコンパクトなものとし、図３に示すように、管継手２の下流側筒部は桝本体１の接続口１ｅから殆ど突出していないため、管継手２の外周面全体に設けるスペースが殆どない。また、後述するが、排水桝ＣＢを安定的に設置するには、鍔状体３と桝本体１の支持部１ｆとの間に一定以上の間隔Ｓを開けることが好ましい。従って、鍔状体３は、その内周を管継手２の下流側筒部の外周に合致する円形に形成すると共に、外周を正８角形に形成したものを、管継手２の上流側筒部（立ち上がり部分）に干渉する箇所だけを切り欠いて管継手２の下流側筒部に設けている。
尚、上記鍔状体３は、管継手２と一体的に設けてもよいし、別体の鍔状体３を後から管継手２に取付けてもよい。
【００２７】
上記正８角形の鍔状体３は、図２に示すように、管継手２を桝本体１に取付けた通常の状態（鍔状体３の上流側筒部の中心軸が地面と垂直になる関係）において、一番下側に位置する鍔状体３の一辺が、地面と平行になるように設けられている。その状態において鍔状体３の下端Ｌ１は、図３に示すように、桝本体１の下端Ｌ２、即ち、桝本体１の支持部１ｆの下端Ｌ２と同じ高さにある。また、鍔状体３は支持部１ｆに対して所定の間隔Ｓをあけて設けられている。このように鍔状体３の下端Ｌ１を桝本体１の下端Ｌ２と同じ高さにすることで、鍔状体３が排水桝ＣＢのもう一つの支持部としての役割を果たし、その重量バランスから、設置した際に管継手２側に傾きそうになる排水桝ＣＢの傾きを、桝本体１の支持部１ｆと鍔状体３の２点で支えて防止することができる。この所定の間隔Ｓは、０ｍｍ以上（ここでいう０ｍｍとは回転の障害にならない程度のこと）必要であることは言うまでもなく、鍔状体３が支持部１ｆに対して近すぎると、鍔状体３がもう一つの支持部としての役割をあまり果たさなくなるので、鍔状体３の支持部１ｆに対する所定の間隔Ｓは、５０ｍｍ以上であることが好ましい。また、管継手２の上部接続口２ａの中心よりも外側（桝本体１の逆側）に鍔状体３を設けると、鍔状体３の外周の大きさを変わらないようにするには、その内周面から外周面までの距離を大きく確保する必要が生じ、また、破損の恐れも生じて、鍔状体３の厚みを厚くするなどの対策が必要となるので、設置した際の安定性は増すというは言うものの、所定の間隔Ｓは２００ｍｍ程度までが好ましく、より好ましくは５０〜１００ｍｍの範囲内である。
【００２８】
上記鍔状体３は正８角形であるため、鍔状体３の一辺を、隣接するもう一辺の位置まで回転させると、管継手２は４５°回転することになる。従って、管継手２を２２．５°回転させると、図６に示すように、鍔状体３の頂点が最も低い位置にくることになる。このとき、鍔状体３の下端Ｌ１は、桝本体１の支持部１ｆの下端Ｌ２よりも低くなるが、周知のように、排水桝ＣＢの設置箇所は砂地等が殆どなので、その頂点が砂地等に突き刺さって、排水桝ＣＢをより安定的に設置することができる。このように管継手２を回転させると、容易に管継手２を任意の接続角度に変更することができ、しかも、鍔状体３を目安にすることで、管継手２の回転角度が上方からでも一目でわかるので、施工性が非常に良好である。
【００２９】
本実施形態の鍔状体３は、上記のように、正８角形に形成されているが、確認頻度の高い接続角度から、鍔状体３を正何角形にするかを決定すればよい。例えば、確認頻度の高い接続角度が３０°であれば、鍔状体３を正１２角形に形成すればよく、このように鍔状体３を何角形にするかは、確認頻度の高い接続角度によって任意に変更することができる。更に、より回転角度の視認性を高めるために、鍔状体３又は／及び桝本体１に目盛や矢印等を附すことも好ましい。そして、このように目盛等を附すのであれば、鍔状体３は上記のように正多角形ではなく、真円であってもよい。
【００３０】
上記構成の桝本体１と、管継手２と、鍔状体３と、を備えた排水桝ＣＢは、図７に示すように、家屋の基礎８の屋外側の地中（屋外の排水主管路９近辺）に埋設される。そして、桝本体１の上流側接続口１ｂ及び下流側接続口１ｃに、屋外の排水主管路９，９をそれぞれ接続すると共に、各種排水設備からの排水が合流する基礎貫通排水管５の下流側端部を９０°エルボ継手６に接続し、短管７を介して管継手２の上部接続口２ａに接続することで、基礎貫通排水管５と屋外の排水主管路９を連通している。短管７を管継手２の上部接続口２ａに接続する際、短管７の下端部と管継手２の上部接続口２ａの位置が合わない場合は、上記鍔状体３を目安にし、管継手２を時計回り或いは半時計回りに回転させて、接続角度を調整してから接続することで、容易に接続することができる。このとき、管継手２の上部接続口２ａに接続代分だけ伸縮するスライド構造を設けて、管継手２の上部接続口２ａと短管７の接続、又は、短管７と９０°エルボ継手６の接続を最後に行うと、接続代分だけの干渉が解消されて、接続がより容易になる。また、管継手２の上部接続口２ａを、上部接続口２ａの半周分が取外し可能な半割構造とし、その上で、管継手２の上部接続口２ａと短管７との接続を最後に行うと、上記と同様に、接続代分だけの干渉が解消されて、接続が容易となる。このように基礎貫通排水管５を屋外の排水主管路９に接続すると、桝本体１の開口部１ｄに高さ調整用のアジャスター４を挿入し、アジャスター４の上端を地表に臨ませて、その上端開口に蓋体４ａを載置することで、排水桝ＣＢの設置が完了する。
【００３１】
以上のような構成の本発明の排水桝ＣＢは、桝本体１の鉛直面上に管継手２の接続口１ｅを形成することで、基礎貫通排水管５から屋外の排水主管路９までの距離が非常に短い狭小な埋設スペースでも、排水桝ＣＢを設置することができる。そして、管継手２の回転角度の目安となる鍔状体３を設けることで、管継手２の接続角度が一目でわかると共に、該鍔状体３が排水桝ＣＢのもう一つの支持部としての役割も果たすので、排水桝ＣＢをぐらつきなく安定的に設置することができる。
【００３２】
図８は本発明の他の実施形態に係る排水桝を示す左側面図、図９は同排水桝の管継手を回転させた状態を示す正面図、図１０は本発明の更に他の実施形態に係る排水桝を示す左側面図、図１１は本発明の更に他の実施形態に係る排水桝を示す正面図、図１２は本発明の更に他の実施形態に係る排水桝を示す平面図である。
【００３３】
図８に示す実施形態の排水桝ＣＢは、上記作用効果を奏する鍔状体３を、管継手２の外周面だけでなく、桝本体１の接続口１ｅの外周面にも設けたものであり、管継手２に設けた鍔状体３は、上記と同様に、管継手２と共に回転するが、桝本体１の接続口１ｅに設けた鍔状体３は、管継手２を回転させても動かないようになっている。
この実施形態の排水桝ＣＢのその他の構成は、前述した図１〜図７に示す実施形態と同様であるので、同一部材に同一符号を附して説明を省略する。
【００３４】
このような、鍔状体３を管継手２の外周面と桝本体１の接続口１ｅの外周面の２箇所に設けた排水桝ＣＢは、図９に示すように、管継手２を回転させた際、管継手２の鍔状体３と接続口１ｅの鍔状体３の位置の差異によって、より細かな回転角度を知ることができる。
【００３５】
次に、図１０に示す実施形態の排水桝ＣＢは、桝本体１を支持する支持部１ｆに対して鍔状体３を殆ど間隔Ｓをあけずに設けたものである。
この実施形態の排水桝ＣＢのその他の構成は、前述した図１〜図９に示す実施形態と同様であるので、同一部材に同一符号を附して説明を省略する。
【００３６】
上記のように、桝本体１を支持する支持部１ｆに対して鍔状体３を殆ど間隔をあけずに設けた排水桝ＣＢは、前述した図１〜図９に示す排水桝ＣＢと比較すると、設置したときの安定性は若干劣るが、鍔状体３が、桝本体１と管継手２の接続箇所の目隠しとなり、排水桝ＣＢの外観が向上すると共に、接続箇所からの異物の侵入を防止することができるという作用効果を奏する。
尚、本実施形態では、鍔状体３を管継手２に設けているが、桝本体１に鍔状体３を設けてもよく、そのような場合、管継手２を回転させても鍔状体３は回転しないが、管継手２と鍔状体３の形状・位置関係から、管継手２が桝本体１に対してどれだけ回転したかを認識することができ、特に、桝本体１の接続口１ｅの外周面にも設けると、管継手２側から見たときに桝本体１に対する管継手２の相対的な動きがわかり易く、容易に管継手２の回転角度が認識できる。
【００３７】
図１１に示す実施形態の排水桝ＣＢは、桝本体１の上流側接続口１ｂが形成されていない態様のものである。
この実施形態の排水桝ＣＢのその他の構成は、前述した図１〜図１０に示す実施形態と同様であるので、同一部材に同一符号を附して説明を省略する。
【００３８】
このような上流側接続口１ｂが形成されていない排水桝ＣＢは、排水桝ＣＢが屋外の排水主管路９の起点となるような場合に好適に設置される。
【００３９】
図１２に示す実施形態の排水桝ＣＢは、上流側接続口１ｂが形成されておらず、その上流側接続口１ｂが形成されるべき位置に管継手２の接続口１ｅを形成したもので、管継手２と桝本体１は、水平方向に湾曲する９０°エルボ継手６を介して接続されている。この排水桝ＣＢの管継手２は、９０°エルボ継手６の上流側の中心軸に対して回転するようになっており、従って、鍔状体３は管継手２の外周面に設けられている。
この実施形態の排水桝ＣＢのその他の構成は、前述した図１〜図１１に示す実施形態と同様であるので、同一部材に同一符号を附して説明を省略する。
【００４０】
上記のような排水桝ＣＢも、施工現場の形状によっては好適に使用される。
【００４１】
以上、種々の形態の排水桝ＣＢを詳述してきたが、本発明の排水桝ＣＢは、これらの実施形態に限定されるものではなく、上流側接続口１ｂが２箇所形成された排水桝ＣＢのように、各種排水管を接続する接続口が４箇所形成された排水桝ＣＢであってもよい。また、管継手２は、本実施形態のような９０°に屈曲する屈曲継手ではなく、４５°に屈曲又は湾曲する継手であってもよいし、必ずしもその中心軸Ａ２が管継手２の回転軸Ａ１に対して一致しない直管状の継手でもよい。更に、管継手２を接続する接続口１ｅは、本実施形態では、桝本体１の流れ方向に対して直交するように形成されているが、桝本体１の流れ方向に対して直交しない角度（例えば３０°、４５°、６０°など）となるように形成するなど、種々の設計変更を許容し得るものである。
【符号の説明】
【００４２】
ＣＢ  排水桝
１    桝本体
１ａ  排水主溝
１ｂ  上流側接続口
１ｃ  下流側接続口
１ｄ  開口部
１ｅ  接続口
１ｆ  支持部
Ｌ２  桝本体の下端
２    管継手
２ａ  上部接続口
２ｂ  凸条
２ｃ  止水パッキン
Ａ１  管継手の回転軸
Ａ２  管継手の桝本体側の中心軸（下流側筒部の中心軸）
３    鍔状体
Ｃ    鍔状体の中心
Ｌ１  鍔状体の下端
Ｌ２  支持部の下端
Ｓ    鍔状体と桝本体の支持部との間隔
４    アジャスター
４ａ  蓋体
５    基礎貫通排水管
６    ９０°エルボ継手
７    短管
８    家屋の基礎
【図１】
2015014084.tif 000003
【図２】
2015014084.tif 000004
【図３】
2015014084.tif 000005
【図４】
2015014084.tif 000006
【図５】
2015014084.tif 000007
【図６】
2015014084.tif 000008
【図７】
2015014084.tif 000009
【図８】
2015014084.tif 000010
【図９】
2015014084.tif 000011
【図１０】
2015014084.tif 000012
【図１１】
2015014084.tif 000013
【図１２】
2015014084.tif 000014